(57)【要約】      （修正有）【課題】アドレス動作マージンを確保し、コントラスト特性およびアドレス放電特性を向上させ得るＰＤＰの駆動方法及び駆動装置を提供する。【解決手段】スキャン電極Ｙ及びサステイン電極Ｚの電極対が形成された上板と、アドレス電極Ｘが形成された下板と、を備えるプラズマディスプレイパネルの駆動方法において、矩形波パルスと下降ランプ波形が結合された予備初期化波形と、書き込み放電用の第１上昇ランプ波形と、消去放電用の第１下降ランプ波形と、書き込み放電用の第２上昇ランプ波形と、消去放電用の第２下降ランプ波形とを、スキャン電極Ｙ又はサステイン電極Ｚに連続的に供給してセルを初期化させる段階と；アドレス電極Ｘにデータを供給し、スキャン電極Ｙ及びサステイン電極Ｚの少なくとも一つにスキャンパルスを供給してセルを選択する段階と；スキャン電極Ｙとアドレス電極Ｘに交互にサステインパルスを供給して表示を行う段階と；を含む。【選択図】図４
2005141215.tif 000002
【特許請求の範囲】
【請求項１】
スキャン電極（Ｙ）及びサステイン電極（Ｚ）をそれぞれ含む多数の電極対が形成された上板と、前記多数の電極対と交差する多数のアドレス電極（Ｘ）が形成された下板とを備え、前記電極の交差部にセルが形成されるプラズマディスプレイパネルの駆動方法において、
矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極（Ｙ）又は前記サステイン電極（Ｚ）のいずれかに連続的に供給して前記セルを初期化させる段階と；
前記アドレス電極（Ｘ）にデータを供給し、前記スキャン電極（Ｙ）及び前記サステイン電極（Ｚ）のいずれか少なくとも一つにスキャンパルスを供給して前記セルを選択する段階と；
前記スキャン電極（Ｙ）と前記サステイン電極（Ｚ）に交互にサステインパルスを供給して表示を行う段階と； 含むことを特徴とするプラズマディスプレイパネルの駆動方法。
【請求項２】
前記予備初期化波形、前記第１上昇ランプ波形、前記第１下降ランプ波形、前記第２上昇ランプ波形、前記第２下降ランプ波形及び前記スキャンパルスは、前記スキャン電極（Ｙ）に供給されることを特徴とする請求項１記載のプラズマディスプレイパネルの駆動方法。
【請求項３】
前記セルを初期化させる段階は、
前記予備初期化波形の矩形波パルスに対して所定時間遅延され、前記予備初期化波形の下降ランプ波形と重畳される第２矩形波パルスと、前記第１下降ランプ波形と同期される第３矩形波パルスと、前記第２上昇ランプ波形と同期される第３上昇ランプ波形と、前記前記第２下降ランプ波形と同期される第３下降ランプ波形とを、前記サステイン電極（Ｚ）に連続的に供給する段階をさらに含むことを特徴とする請求項１又は２記載のプラズマディスプレイパネルの駆動方法。
【請求項４】
スキャン電極（Ｙ）及びサステイン電極（Ｚ）をそれぞれ含む多数の電極対が形成された上板と、前記多数の電極対と交差する多数のアドレス電極（Ｘ）が形成された下板とを備え、前記電極の交差部にセルが形成され、１フレーム期間を複数のサブフィールドに分けて時分割駆動するプラズマディスプレイパネルを駆動するための方法において、
矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極（Ｙ）又は前記サステイン電極（Ｚ）のいずれかに連続的に供給してｎ（ただし、ｎは任意の正の整数）番目のサブフィールドで前記セルを初期化させる段階と；
前記アドレス電極（Ｘ）にデータを供給し、前記スキャン電極（Ｙ）及び前記サステイン電極（Ｚ）のいずれか少なくとも一つにスキャンパルスを供給して前記ｎ番目のサブフィールドで前記セルを選択し、前記スキャン電極（Ｙ）と前記サステイン電極（Ｚ）に交互にサステインパルスを供給して前記ｎ番目のサブフィールドで表示を行う段階と；
前記予備初期化波形と、第１又は第２上昇ランプ波形のいずれか一つの上昇ランプ波形と、前記第１又は第２下降ランプ波形のいずれか一つの下降ランプ波形とを、前記スキャン電極（Ｙ）又は前記サステイン電極（Ｚ）のいずれかに連続的に供給してｎ＋１番目のサブフィールドで前記セルを初期化させる段階と；
前記アドレス電極（Ｘ）にデータを供給し、前記スキャン電極（Ｙ）及び前記サステイン電極（Ｚ）のいずれか少なくとも一つにスキャンパルスを供給して前記ｎ＋１番目のサブフィールドで前記セルを選択し、前記スキャン電極（Ｙ）と前記サステイン電極（Ｚ）に交互にサステインパルスを供給して前記ｎ＋１番目のサブフィールドで表示を行う段階と；を含むことを特徴とするプラズマディスプレイパネルの駆動方法。
【請求項５】
前記ｎ番目のサブフィールドは、前記フレーム期間の最先頭に配置される一番目のサブフィールドであることを特徴とする請求項４記載のプラズマディスプレイパネルの駆動方法 。
【請求項６】
前記ｎ番目のサブフィールドは、前記フレーム期間の最先頭に配置される一番目のサブフィールドと、それに隣接した少なくとも一つ以上のサブフィールドとであることを特徴とする 請求項４又は５記載のプラズマディスプレイパネルの駆動方法。
【請求項７】
スキャン電極（Ｙ）及びサステイン電極（Ｚ）をそれぞれ含む多数の電極対が形成された上板と、前記多数の電極対と交差する多数のアドレス電極（Ｘ）が形成された下板とを備え、前記電極の交差部にセルが形成されるプラズマディスプレイパネルを駆動するための装置において、
矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極（Ｙ）又は前記サステイン電極（Ｚ）のいずれかに連続的に供給して前記セルを初期化させる第１駆動部と；
前記アドレス電極（Ｘ）にデータを供給し、前記スキャン電極（Ｙ）及び前記サステイン電極（Ｚ）のいずれか少なくとも一つにスキャンパルスを供給して前記セルを選択する第２駆動部と；
前記スキャン電極（Ｙ）と前記サステイン電極（Ｚ）に交互にサステインパルスを供給して表示を行う第３駆動部と；を含むことを特徴とするプラズマディスプレイパネルの駆動装置。
【請求項８】
前記第１駆動部は、予備初期化波形、前記第１上昇ランプ波形、前記第１下降ランプ波形、前記第２上昇ランプ波形、前記第２下降ランプ波形及び前記スキャンパルスを前記スキャン電極（Ｙ）に供給することを特徴とする請求項７記載のプラズマディスプレイパネルの駆動装置。
【請求項９】
前記第１駆動部は、
前記予備初期化波形の矩形波パルスに対して所定時間遅延され、前記予備初期化波形の下降ランプ波形と重畳される第２矩形波パルスと、前記第１下降ランプ波形と同期される第３矩形波パルスと、前記第２上昇ランプ波形と同期される第３上昇ランプ波形と、前記前記第２下降ランプ波形と同期される第３下降ランプ波形とを、前記サステイン電極（Ｚ）に連続的に供給することを特徴とする請求項８記載のプラズマディスプレイパネルの駆動装置。
【請求項１０】
スキャン電極（Ｙ）及びサステイン電極（Ｚ）をそれぞれ含む多数の電極対が形成された上板と、前記多数の電極対と交差する多数のアドレス電極（Ｘ）が形成された下板とを備え、前記電極の交差部にセルが形成され、１フレーム期間を複数のサブフィールドに分けて時分割駆動するプラズマディスプレイパネルを駆動するための装置において、
矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極（Ｙ）又は前記サステイン電極（Ｚ）のいずれかに連続的に供給してｎ（ただし、ｎは任意の正の整数）番目のサブフィールドで前記セルを初期化させる第１駆動部と；
前記アドレス電極（Ｘ）にデータを供給し、前記スキャン電極（Ｙ）及び前記サステイン電極（Ｚ）のいずれか少なくとも一つにスキャンパルスを供給して前記ｎ番目のサブフィールドで前記セルを選択し、前記スキャン電極（Ｙ）と前記サステイン電極（Ｚ）に交互にサステインパルスを供給して前記ｎ番目のサブフィールドで表示を行う第２駆動部と；
前記予備初期化波形と、第１又は第２上昇ランプ波形のいずれか一つの上昇ランプ波形と、前記第１又は第２下降ランプ波形のいずれか一つの下降ランプ波形とを、前記スキャン電極（Ｙ）又は前記サステイン電極（Ｚ）のいずれかに連続的に供給してｎ＋１番目のサブフィールドで前記セルを初期化させる第３駆動部と；
前記アドレス電極（Ｘ）にデータを供給し、前記スキャン電極（Ｙ）又は前記サステイン電極（Ｚ）のいずれか少なくとも一つにスキャンパルスを供給して前記ｎ＋１番目のサブフィールドで前記セルを選択し、前記スキャン電極（Ｙ）と前記サステイン電極（Ｚ）に交互にサステインパルスを供給して前記ｎ＋１番目のサブフィールドで表示を行う第４駆動部と；を備えることを特徴とするプラズマディスプレイパネルの駆動装置。
【請求項１１】
前記ｎ番目のサブフィールドは、前記フレーム期間の最先頭に配置される一番目のサブフィールドであることを特徴とする請求項１０記載のプラズマディスプレイパネルの駆動装置 。
【請求項１２】
前記ｎ番目のサブフィールドは、前記フレーム期間の最先頭に配置される一番目のサブフィールドと、それに隣接した少なくとも一つ以上のサブフィールドとであることを特徴とする 請求項１０又は１１記載のプラズマディスプレイパネルの駆動装置。
【発明の詳細な説明】
【技術分野】
【０００１】
本発明は、プラズマディスプレイパネルに係り、より詳細には、プラズマディスプレイパネルの駆動方法及び駆動装置に関する。
【背景技術】
【０００２】
プラズマディスプレイパネル（Plasma Display Panel：以下、「ＰＤＰ」という）は、 Ｈｅ＋Ｘｅ、Ｎｅ＋Ｘｅ、Ｈｅ＋Ｘｅ＋Ｎｅなどの不活性混合ガスの放電時に発生する紫外線が蛍光体を発光させることにより、画像を表示する。このようなＰＤＰは、薄膜化と大型化が容易であるうえ、最近の技術開発により向上した画質を提供することができるようになった。
【０００３】
図１は、従来の３電極交流面放電型プラズマディスプレイパネルの電極配置を概略的に示す平面図である。図１を参照すると、従来の３電極交流面放電型ＰＤＰは、スキャン電極Ｙ１〜Ｙｎ及びサステイン電極Ｚと、スキャン電極Ｙ１〜Ｙｎ及びサステイン電極Ｚと直交するアドレス電極Ｘ１〜Ｘｍと、を備える。
【０００４】
スキャン電極Ｙ１〜Ｙｎ、サステイン電極Ｚ及びアドレス電極Ｘ１〜Ｘｍの交差部には、赤色、緑及び青色のいずれか一つを表示するためのセル１が形成される。スキャン電極Ｙ１〜Ｙｎ及びサステイン電極Ｚは図示しない上部基板上に形成される。上部基板には図示しない誘電体層とＭｇＯ保護層とが積層される。アドレス電極Ｘ１〜Ｘｍは図示しない下部基板上に形成される。下部基板上には水平に隣接したセル間の光学的、電気的混信を防止するための隔壁が形成される。下部基板と隔壁の表面には、真空紫外線によって励起されて可視光を放出する蛍光体が形成される。上部基板と下部基板との間の放電空間には、Ｈｅ＋Ｘｅ、Ｎｅ＋Ｘｅ、Ｈｅ＋Ｘｅ＋Ｎｅなどの不活性混合ガスが注入される。
【０００５】
図２は、２５６階調を具現するための８ビットデフォルトコードのフレーム構成を示す図面である。
【０００６】
ＰＤＰは、画像の階調を具現するために、一つのフレームを発光回数の異なる複数のサブフィールドに分けて時分割駆動を行う。各サブフィールドは、全画面を初期化するためのリセット期間と、走査ラインを選択して該選択された走査ラインでセルを選択するためのアドレス期間と、放電回数によって階調を具現するサステイン期間と、に分けられる。例えば、２５６階調で画像を表示しようとする場合、図２のように、１／６０秒に該当するフレーム期間（１６.６７ｍｓ）は、８個のサブフィールドＳＦ１〜ＳＦ８に分けられる。８個のサブフィールドＳＦ１〜ＳＦ８のそれぞれは、前述したようにリセット期間、アドレス期間及びサステイン期間に分けられる。各サブフィールドのリセット期間とアドレス期間は各サブフィールド毎に同一である反面、サステイン期間とそれに割り当てられるサステインパルスの数は各サブフィールドにおいて２ｎ（ｎ＝０、１、２、３、４、５、６、７）の割合で増加する。
【０００７】
図３は、従来のＰＤＰを駆動するための駆動波形を示す波形図である。図３は２つのサブフィールドに供給されるＰＤＰの駆動波形を示す。
【０００８】
図３を参照すると、ＰＤＰは全画面を初期化させるためのリセット期間と、セルを選択するためのアドレス期間と、選択されたセルの放電を維持させるためのサステイン期間と、に分けて駆動される。
【０００９】
リセット期間において、セットアップ期間ＳＵにはすべてのスキャン電極Ｙに上昇ランプ波形(Ramp-up)が同時に供給される。これと同時に、サステイン電極Ｚとアドレス電極Ｘには０[Ｖ]が供給される。該上昇ランプ波形（Ramp-up）によって全画面の各セル内においてスキャン電極Ｙとアドレス電極Ｘとの間と、スキャン電極Ｙとサステイン電極Ｚとの間とには、光がほとんど発生しない暗放電（Dark discharge）が起こる。このセットアップ放電によってアドレス電極Ｘおよびサステイン電極Ｚ上には正極性（＋）の壁電荷が蓄積され、スキャン電極Ｙ上には負極性（−）の壁電荷が蓄積される。
【００１０】
セットダウン期間ＳＤには、上昇ランプ波形（Ramp-up）が供給された後において、上昇ランプ波形（Ramp-up）のピーク電圧より低い正極性電圧から落ち始めて基底電圧ＧＮＤまたは負極性の特定電圧レベルまで落ちる下降ランプ波形（Ramp-down）が、スキャン電極Ｙに同時に供給される。これと同時に、サステイン電極Ｚには正極性のサステイン電圧Ｖｓが供給され、アドレス電極Ｘには０[Ｖ]が供給される。このように下降ランプ波形（Ramp-down）が供給されるとき、スキャン電極Ｙとサステイン電極Ｚとの間では光がほとんど発生しない暗放電（Dark discharge）が起こる。また、スキャン電極Ｙとアドレス電極Ｘとの間では下降ランプ波形（Ramp-down）が落ちる区間に放電が起こらず、下降ランプ波形（Ramp-down）の下限点で暗放電（Dark discharge）が起こる。このようにセットダウン期間ＳＤに起こる放電により、セットアップ期間ＳＵに発生した壁電荷の中から、アドレス放電に不要で過度な壁電荷が消去される。セットアップ期間ＳＵとセットダウン期間ＳＤとにおける壁電荷の変化を考察すると、アドレス電極Ｘ上の壁電荷の変化は殆どなく、スキャン電極Ｙの負極性（−）壁電荷が減少する。一方、サステイン電極Ｚの壁電荷は、セットアップ期間ＳＵでの極性が正極性であったが、スキャン電極Ｙの負極性（−）壁電荷の減少分だけ自分に負極性壁電荷が蓄積されるにつれて、セットダウン期間ＳＤでその極性が負極性に反転する。
【００１１】
アドレス期間では、負極性スキャンパルスｓｃａｎがスキャン電極Ｙに順次供給されると同時に、スキャンパルスｓｃａｎに同期される正極性のデータパルスｄａｔａがアドレス電極Ｘに供給される。スキャンパルスｓｃａｎとデータパルスｄａｔａとの電圧差とリセット期間に生成された壁電圧とが加えられることにより、データパルスｄａｔａが供給されるセル内ではアドレス放電が発生する。アドレス放電によって選択されたセル内には、サステイン電圧Ｖｓが供給されるときに放電が起こりうるようにする程度の壁電荷が形成される。このアドレス期間でサステイン電極Ｚには正極性直流電圧Ｚｄｃが供給される。
【００１２】
サステイン期間では、スキャン電極Ｙとサステイン電極Ｚに交互にサステインパルスｓｕｓが供給される。アドレス放電によって選択されたセルはセル内の壁電圧とサステインパルスｓｕｓとが加えられることにより、サステインパルスｓｕｓが供給される度にスキャン電極Ｙとサステイン電極Ｚとの間でサステイン放電、すなわち表示放電が発生する。
【００１３】
サステイン放電が終了した後には、パルス幅と電圧レベルが小さい消去ランプ波形(ramp-ers)がサステイン電極Ｚに供給されて、全画面のセル内に残留する壁電荷を消去させる。
【００１４】
ところで、従来のＰＤＰは、リセット期間にスキャン電極Ｙとサステイン電極Ｚとの間に放電が起こると同時に、スキャン電極Ｙとアドレス電極Ｘとの間に放電が起こるが、その初期化放電がセル内の以前の壁電荷状態や放電ガスの組成によって不安定になり、アドレス動作マージンが低下するという問題点がある。また、従来のＰＤＰは、サブフィールド毎に初期化放電が数回も起こるのでブラック輝度が高くなってコントラスト特性が劣化し、しかも不安定な初期化のためにアドレス放電特性が良くないという問題点がある。
【発明の開示】
【発明が解決しようとする課題】
【００１５】
本発明は、かかる従来の問題点を解決するためのもので、その目的は、初期化の安定化によるアドレス動作マージンを確保し、初期化放電数を減らしてコントラスト特性およびアドレス放電特性を向上させ得るＰＤＰの駆動方法及び駆動装置を提供することにある。
【課題を解決するための手段】
【００１６】
本発明の実施例に係るプラズマディスプレイパネルの駆動方法は、スキャン電極Ｙ及びサステイン電極Ｚをそれぞれ含む多数の電極対が形成された上板と、前記多数の電極対と交差する多数のアドレス電極Ｘが形成された下板とを備え、前記電極の交差部にセルが形成されるプラズマディスプレイパネルの駆動方法において、矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極Ｙ又は前記サステイン電極Ｚのいずれかに連続的に供給して前記セルを初期化させる段階と；前記アドレス電極Ｘにデータを供給し、前記スキャン電極Ｙ及び前記サステイン電極Ｚのいずれか少なくとも一つにスキャンパルスを供給して前記セルを選択する段階と；前記スキャン電極Ｙと前記サステイン電極Ｚに交互にサステインパルスを供給して表示を行う段階と；を含むことを特徴とする。
【００１７】
本発明の他の実施例に係るプラズマディスプレイパネルの駆動方法は、スキャン電極Ｙ及び前記サステイン電極Ｚをそれぞれ含む多数の電極対が形成された上板と、前記多数の電極対と交差する多数のアドレス電極Ｘが形成された下板とを備え、前記電極の交差部にセルが形成され、１フレーム期間を複数のサブフィールドに分けて時分割駆動するプラズマディスプレイパネルを駆動するための方法において、矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極Ｙ及び前記サステイン電極Ｚのいずれかに連続的に供給してｎ（ただし、ｎは任意の正の整数）番目のサブフィールドで前記セルを初期化させる段階と；前記アドレス電極Ｘにデータを供給し、前記スキャン電極Ｙ及び前記サステイン電極Ｚのいずれか少なくとも一つにスキャンパルスを供給して前記ｎ番目のサブフィールドで前記セルを選択し、前記スキャン電極Ｙと前記サステイン電極Ｚに交互にサステインパルスを供給して前記ｎ番目のサブフィールドで表示を行う段階と；前記予備初期化波形と、第１及び第２上昇ランプ波形のいずれか一つの上昇ランプ波形と、前記第１及び第２下降ランプ波形のいずれか一つの下降ランプ波形とを、前記スキャン電極Ｙ及び前記サステイン電極Ｚのいずれかに連続的に供給してｎ＋１番目のサブフィールドで前記セルを初期化させる段階と；前記アドレス電極Ｘにデータを供給し、前記スキャン電極Ｙ及び前記サステイン電極Ｚのいずれか少なくとも一つにスキャンパルスを供給して前記ｎ＋１番目のサブフィールドで前記セルを選択し、前記スキャン電極Ｙと前記サステイン電極Ｚに交互にサステインパルスを供給して前記ｎ＋１番目のサブフィールドで表示を行う段階と；を含むことを特徴とする。
【００１８】
本発明の実施例に係るプラズマディスプレイパネルの駆動装置は、スキャン電極Ｙ及び前記サステイン電極Ｚをそれぞれ含む多数の電極対が形成された上板と、前記多数の電極対と交差する多数のアドレス電極Ｘが形成された下板とを備え、前記電極の交差部にセルが形成されるプラズマディスプレイパネルを駆動するための装置において、矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極Ｙ及び前記サステイン電極Ｚのいずれかに連続的に供給して前記セルを初期化させる第１駆動部と；前記アドレス電極Ｘにデータを供給し、前記スキャン電極Ｙ及び前記サステイン電極Ｚのいずれか少なくとも一つにスキャンパルスを供給して前記セルを選択する第２駆動部と；前記スキャン電極Ｙと前記サステイン電極Ｚに交互にサステインパルスを供給して表示を行う第３駆動部と；を含むことを特徴とする。
【００１９】
本発明のまた他の実施例に係るプラズマディスプレイパネルの駆動装置は、スキャン電極Ｙ及び前記サステイン電極Ｚをそれぞれ含む多数の電極対が形成された上板と、前記多数の電極対と交差する多数のアドレス電極Ｘが形成された下板とを備え、前記電極の交差部にセルが形成され、１フレーム期間を複数のサブフィールドに分けて時分割駆動するプラズマディスプレイパネルを駆動するための方法において、矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極Ｙ及び前記サステイン電極Ｚのいずれかに連続的に供給してｎ（ただし、ｎは任意の正の整数）番目のサブフィールドで前記セルを初期化させる第１駆動部と；前記アドレス電極Ｘにデータを供給し、前記スキャン電極Ｙ及び前記サステイン電極Ｚのいずれか少なくとも一つにスキャンパルスを供給して前記ｎ番目のサブフィールドで前記セルを選択し、前記スキャン電極Ｙと前記サステイン電極Ｚに交互にサステインパルスを供給して前記ｎ番目のサブフィールドで表示を行う第２駆動部と；前記予備初期化波形と、第１及び第２上昇ランプ波形のいずれか一つの上昇ランプ波形と、前記第１及び第２下降ランプ波形のいずれか一つの下降ランプ波形とを、前記スキャン電極Ｙ及び前記サステイン電極Ｚのいずれかに連続的に供給してｎ＋１番目のサブフィールドで前記セルを初期化させる第３駆動部と；前記アドレス電極Ｘにデータを供給し、前記スキャン電極Ｙ及び前記サステイン電極Ｚのいずれか少なくとも一つにスキャンパルスを供給して前記ｎ＋１番目のサブフィールドで前記セルを選択し、前記スキャン電極Ｙと前記サステイン電極Ｚに交互にサステインパルスを供給して前記ｎ＋１番目のサブフィールドで表示を行う第４駆動部と；を備えることを特徴とする。
【発明の効果】
【００２０】
本発明に係るＰＤＰの駆動方法及び装置は、初期化の安定化によるアドレス動作マージンを確保し、初期化放電数を減らしてコントラスト特性およびアドレス放電特性を向上させることができる。
【発明を実施するための最良の形態】
【００２１】
本発明の実施例に係るプラズマディスプレイパネルの駆動方法は、スキャン電極Ｙ及びサステイン電極Ｚをそれぞれ含む多数の電極対が形成された上板と、前記多数の電極対と交差する多数のアドレス電極Ｘが形成された下板とを備え、前記電極の交差部にセルが形成されるプラズマディスプレイパネルの駆動方法において、矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極Ｙ及び前記サステイン電極Ｚのいずれかに連続的に供給して前記セルを初期化させる段階と；前記アドレス電極Ｘにデータを供給し、前記スキャン電極Ｙ及び前記サステイン電極Ｚのいずれか少なくとも一つにスキャンパルスを供給して前記セルを選択する段階と；前記スキャン電極Ｙと前記サステイン電極Ｚに交互にサステインパルスを供給して表示を行う段階と；を含むことを特徴とする。
【００２２】
前記予備初期化波形、前記第１上昇ランプ波形、前記第１下降ランプ波形、前記第２上昇ランプ波形、前記第２下降ランプ波形及び前記スキャンパルスは、前記スキャン電極Ｙに供給されることを特徴とする。
【００２３】
前記セルを初期化させる段階は、前記予備初期化波形の矩形波パルスに対して所定時間遅延され、前記予備初期化波形の下降ランプ波形と重畳される第２矩形波パルスと、前記第１下降ランプ波形と同期される第３矩形波パルスと、前記第２上昇ランプ波形と同期される第３上昇ランプ波形と、前記前記第２下降ランプ波形と同期される第３下降ランプ波形とを、前記サステイン電極Ｚに連続的に供給する段階をさらに含むことを特徴とする。
【００２４】
本発明の他の実施例に係るプラズマディスプレイパネルの駆動方法は、スキャン電極Ｙ及び前記サステイン電極Ｚをそれぞれ含む多数の電極対が形成された上板と、前記多数の電極対と交差する多数のアドレス電極Ｘが形成された下板とを備え、前記電極の交差部にセルが形成され、１フレーム期間を複数のサブフィールドに分けて時分割駆動するプラズマディスプレイパネルを駆動するための方法において、矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極Ｙ及び前記サステイン電極Ｚのいずれかに連続的に供給してｎ（ただし、ｎは任意の正の整数）番目のサブフィールドで前記セルを初期化させる段階と；前記アドレス電極Ｘにデータを供給し、前記スキャン電極Ｙ及び前記サステイン電極Ｚのいずれか少なくとも一つにスキャンパルスを供給して前記ｎ番目のサブフィールドで前記セルを選択し、前記スキャン電極Ｙと前記サステイン電極Ｚに交互にサステインパルスを供給して前記ｎ番目のサブフィールドで表示を行う段階と；前記予備初期化波形と、第１及び第２上昇ランプ波形のいずれか一つの上昇ランプ波形と、前記第１及び第２下降ランプ波形のいずれか一つの下降ランプ波形とを、前記スキャン電極Ｙ及び前記サステイン電極Ｚのいずれかに連続的に供給してｎ＋１番目のサブフィールドで前記セルを初期化させる段階と；前記アドレス電極Ｘにデータを供給し、前記スキャン電極Ｙ及び前記サステイン電極Ｚのいずれか少なくとも一つにスキャンパルスを供給して前記ｎ＋１番目のサブフィールドで前記セルを選択し、前記スキャン電極Ｙと前記サステイン電極Ｚに交互にサステインパルスを供給して前記ｎ＋１番目のサブフィールドで表示を行う段階と；を含むことを特徴とする。
【００２５】
前記ｎ番目のサブフィールドは、前記フレーム期間の最先頭に配置される一番目のサブフィールドであることを特徴とする。
【００２６】
前記ｎ番目のサブフィールドは、前記フレーム期間の最先頭に配置される一番目のサブフィールドと、それに隣接した少なくとも一つ以上のサブフィールドとであることを特徴とする。
【００２７】
本発明の実施例に係るプラズマディスプレイパネルの駆動装置は、スキャン電極Ｙ及び前記サステイン電極Ｚをそれぞれ含む多数の電極対が形成された上板と、前記多数の電極対と交差する多数のアドレス電極Ｘが形成された下板とを備え、前記電極の交差部にセルが形成されるプラズマディスプレイパネルを駆動するための装置において、矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極Ｙ及び前記サステイン電極Ｚのいずれかに連続的に供給して前記セルを初期化させる第１駆動部と；前記アドレス電極Ｘにデータを供給し、前記スキャン電極Ｙ及び前記サステイン電極Ｚのいずれか少なくとも一つにスキャンパルスを供給して前記セルを選択する第２駆動部と；前記スキャン電極Ｙと前記サステイン電極Ｚに交互にサステインパルスを供給して表示を行う第３駆動部と；を含むことを特徴とする。
【００２８】
前記第１駆動部は、予備初期化波形、前記第１上昇ランプ波形、前記第１下降ランプ波形、前記第２上昇ランプ波形、前記第２下降ランプ波形及び前記スキャンパルスを前記スキャン電極Ｙに供給することを特徴とする。
【００２９】
前記第１駆動部は、前記予備初期化波形の矩形波パルスに対して所定時間遅延され、前記予備初期化波形の下降ランプ波形と重畳される第２矩形波パルスと、前記第１下降ランプ波形と同期される第３矩形波パルスと、前記第２上昇ランプ波形と同期される第３上昇ランプ波形と、前記第２下降ランプ波形と同期される第３下降ランプ波形とを、前記サステイン電極Ｚに連続的に供給することを特徴とする。
【００３０】
本発明のまた他の実施例に係るプラズマディスプレイパネルの駆動装置は、スキャン電極Ｙ及び前記サステイン電極Ｚをそれぞれ含む多数の電極対が形成された上板と、前記多数の電極対と交差する多数のアドレス電極Ｘが形成された下板とを備え、前記電極の交差部にセルが形成され、１フレーム期間を複数のサブフィールドに分けて時分割駆動するプラズマディスプレイパネルを駆動するための方法において、矩形波パルスと下降ランプ波形が結合された予備初期化波形と、書き込み放電を起こすための第１上昇ランプ波形と、消去放電を起こすための第１下降ランプ波形と、書き込み放電を起こすための第２上昇ランプ波形と、消去放電を起こすための第２下降ランプ波形とを、前記スキャン電極Ｙ及び前記サステイン電極Ｚのいずれかに連続的に供給してｎ（ただし、ｎは任意の正の整数）番目のサブフィールドで前記セルを初期化させる第１駆動部と；前記アドレス電極Ｘにデータを供給し、前記スキャン電極Ｙ及び前記サステイン電極Ｚのいずれか少なくとも一つにスキャンパルスを供給して前記ｎ番目のサブフィールドで前記セルを選択し、前記スキャン電極Ｙと前記サステイン電極Ｚに交互にサステインパルスを供給して前記ｎ番目のサブフィールドで表示を行う第２駆動部と；前記予備初期化波形と、第１及び第２上昇ランプ波形のいずれか一つの上昇ランプ波形と、前記第１及び第２下降ランプ波形のいずれか一つの下降ランプ波形とを、前記スキャン電極Ｙ及び前記サステイン電極Ｚのいずれかに連続的に供給してｎ＋１番目のサブフィールドで前記セルを初期化させる第３駆動部と；前記アドレス電極Ｘにデータを供給し、前記スキャン電極Ｙ及び前記サステイン電極Ｚのいずれか少なくとも一つにスキャンパルスを供給して前記ｎ＋１番目のサブフィールドで前記セルを選択し、前記スキャン電極Ｙと前記サステイン電極Ｚに交互にサステインパルスを供給して前記ｎ＋１番目のサブフィールドで表示を行う第４駆動部と；を備えることを特徴とする。
【００３１】
以下、本発明の実施例を添付図を参照して詳しく説明する。
【００３２】
図４は、本発明の第１実施例に係るプラズマディスプレイパネルの駆動方法を示す波形図である。図５は、図４に示したリセット期間でセル内での壁電荷分布の変化を概略的に示す図である。
【００３３】
図４及び図５を参照すると、本発明の第１実施例に係るＰＤＰの駆動方法は、六段階の初期化を含むリセット期間と、セルを選択するためのアドレス期間と、選択されたセルに対して表示を行うためのサステイン期間と、を含む。
【００３４】
リセット期間は、t１期間およびt２期間を含む予備初期化期間と、t３期間〜t６期間を含むメイン初期化期間と、を含む。
【００３５】
予備初期化期間において、t１期間では、スキャン電極Ｙには電圧がサステイン電圧Ｖｓと設定される予備Ｙ初期化パルスｉｓｑｙが供給され、サステイン電極Ｚおよびアドレス電極Ｘには基底電圧ＧＮＤや０Ｖが供給される。予備Ｙ初期化パルスｉｓｑｙの電圧は、ＰＤＰのモデルと放電ガス組成などの放電特性を考慮してサステイン電圧Ｖｓより高いかもしくは低い可能性もある。この時、スキャン電極Ｙとサステイン電極Ｚとの間に放電が起こる。その結果、すべてのセル内で図５のようにスキャン電極Ｙ上には負極性の壁電荷が蓄積される一方、サステイン電極Ｚおよびアドレス電極Ｘ上には正極性の壁電荷が蓄積される。
【００３６】
t２期間では、スキャン電極Ｙにサステイン電圧Ｖｓが一定期間さらに供給された後、サステイン電圧Ｖｓから負極性電圧まで電圧が低くなる予備下降ランプ波形ｉｄｙがスキャン電極Ｙに供給され、サステイン電極Ｚには電圧が略サステイン電圧Ｖｓと設定される第１Ｚ初期化パルスｉｓｑ１が供給される。そして、アドレス電極Ｘには基底電圧ＧＮＤや０Ｖが供給される。Ｙ初期化パルスｉｓｑｙと第１Ｚ初期化パルスｉｓｑ１が重畳される期間の間に、スキャン電極Ｙとアドレス電極Ｘとの間に、さらにサステイン電極Ｚとアドレス電極Ｘとの間に放電が起こる。また、予備下降ランプ波形ｉｄｙと第１Ｚ初期化パルスｉｓｑ１が重畳される期間の間に、スキャン電極Ｙとサステイン電極Ｚの間に、そしてスキャン電極Ｙとアドレス電極Ｘとの間に放電が起こる。その結果、すべてのセル内で図５のようにサステイン電極Ｚ上には負極性の壁電荷が蓄積され、t１期間に蓄積されたスキャン電極Ｙ上の負極性壁電荷はその量が減少する。また、アドレス電極Ｘ上には負極性壁電荷が蓄積されるにつれて正極性壁電荷の一部が消去される。
【００３７】
このような予備初期化期間で発生する放電は、メイン初期化期間の放電がすべてのセルで均一に起こるように、メイン初期化期間に先立って以前のセルの壁電荷分布を均一にする。
【００３８】
メイン初期化期間において、t３期間では、スキャン電極Ｙにサステイン電圧Ｖｓが供給され、次いでサステイン電圧Ｖｓからセットアップ電圧Ｖｓｅｔｕｐまで一定の勾配で電圧が上昇する第１Ｙ上昇ランプ波形Ｒｕｙ１が供給される。また、このt３期間では、サステイン電極Ｚとアドレス電極Ｘには基底電圧ＧＮＤや０Ｖが供給される。この時、スキャン電極Ｙとサステイン電極Ｚとの間に放電が起こると同時に、スキャン電極Ｙとアドレス電極Ｘとの間に放電が起こる。その結果、すべてのセル内で図５のようにスキャン電極Ｙ上には負極性の壁電荷が蓄積される一方、サステイン電極Ｚとアドレス電極Ｘ上には正極性の壁電荷が蓄積される。
【００３９】
t４期間では、サステイン電圧Ｖｓから負極性電圧まで電圧が低くなる第１Ｙ下降ランプ波形Ｒｄｙ１がスキャン電極Ｙに供給され、サステイン電極Ｚには電圧が略サステイン電圧Ｖｓと設定される第２Ｚ初期化パルスｉｓｑ２が供給される。そして、アドレス電極Ｘには基底電圧ＧＮＤや０Ｖが供給される。また、このt４期間では、スキャン電極Ｙとサステイン電極Ｚとの間に、そしてスキャン電極Ｙとアドレス電極Ｘとの間に放電が起こる。その結果、すべてのセル内で図５のようにサステイン電極Ｚ上には負極性の壁電荷が蓄積されるにつれてその極性が正極性から負極性に反転し、t３期間に蓄積されたスキャン電極Ｙ上の負極性壁電荷は正極性壁電荷が蓄積されるにつれてその一部が消去される。また、t３期間に蓄積されたアドレス電極Ｘ上の正極性壁電荷は負極性壁電荷が蓄積されるにつれてその一部が消去される。
【００４０】
t５期間では、サステイン電圧Ｖｓからセットアップ電圧Ｖｓｅｔｕｐまで上昇する第２Ｙ上昇ランプ波形Ｒｕｙ２及びＺ上昇ランプ波形Ｒｕｚがスキャン電極Ｙとサステイン電極Ｚに同時に供給される。また、このt５期間では、アドレス電極Ｘには基底電圧ＧＮＤや０Ｖが供給される。この時、スキャン電極Ｙとアドレス電極Ｘとの間に放電が起こると同時に、サステイン電極Ｚとアドレス電極Ｘとの間に放電が起こる。その結果、すべてのセルで図５のようにスキャン電極Ｙとサステイン電極Ｚ上には負極性の壁電荷が蓄積され、アドレス電極Ｘ上には正極性の壁電荷が蓄積される。
【００４１】
t６期間では、サステイン電圧Ｖｓから負極性電圧まで電圧が低くなる第２Ｙ下降ランプ波形Ｒｄｙ２及びＺ下降ランプ波形Ｒｄｚがスキャン電極Ｙとサステイン電極Ｚに供給される。ここで、スキャン電極Ｙに供給される第２Ｙ下降ランプ波形Ｒｄｙ２の電圧は、サステイン電極Ｚに供給される下降ランプ波形Ｒｄｚの電圧よりもさらに低い電圧まで落ちる。また、t６期間では、アドレス電極Ｘには基底電圧ＧＮＤや０Ｖが供給される。また、このt６期間では、スキャン電極Ｙとサステイン電極Ｚとの間に、そしてスキャン電極Ｙとアドレス電極Ｘとの間に放電が起こる。その結果、すべてのセルで図５のようにスキャン電極Ｙ上に蓄積されていた負極性の壁電荷は、正極性の壁電荷が蓄積されるにつれてその一部が消去され、アドレス電極Ｘ上に蓄積されていた正極性の壁電荷は、負極性壁電荷が蓄積されるにつれてその一部が消去される。
【００４２】
アドレス期間では、スキャン電極Ｙとサステイン電極Ｚにはバイアス電圧（Ｖｓｃａｎ−ｃｏｍ、Ｖｚ−ｃｏｍ）が供給される。そしてバイアス電圧Ｖｓｃａｎ−ｃｏｍからスキャン電圧Ｖｓｃａｎまで落ちるスキャンパルスｓｐがスキャン電極Ｙに順次供給され、そのスキャンパルスｓｐに同期されるデータ電圧Ｖｄのデータパルスｄｐがアドレス電極Ｘに供給される。スキャンパルスｓｐとデータパルスｄｐとの電圧差とリセット期間に生成された壁電圧とが加えられることにより、データパルスｄｐが供給されるオンセル（on-cell）内ではアドレス放電が発生する。アドレス放電によって選択されたオンセル内には、サステイン電圧Ｖｓが供給されるときに放電の発生を可能にする程度の壁電荷が形成される。予備初期化を含む初期化動作によって以前のセル内での放電特性が均一化されるため、安定したアドレス放電が可能になり、アドレス動作マージンが広くなる。
【００４３】
サステイン電極Ｚに供給されるバイアス電圧Ｖｚ−ｃｏｍは、スキャン電極Ｙに供給されるバイアス電圧Ｖｓｃａｎ−ｃｏｍよりも高く設定され、アドレス期間の間にサステイン電極Ｚにさらに多量の負極性壁電荷が蓄積される。このようにサステイン電極Ｚに多量の負極性壁電荷が蓄積されると、サステイン電極Ｚに一番目のサステインパルスｓｕｓが供給されるとき、サステイン電極Ｚとスキャン電極Ｙとの間の電圧差がさらに大きくなるので、容易で安定した放電が可能になり、 その分サステイン駆動マージンが高くなる。
【００４４】
サステイン期間では、スキャン電極Ｙとサステイン電極Ｚに交互にサステイン電圧Ｖｓのサステインパルスｓｕｓが供給される。アドレス放電によって選択されたオンセルは、セル内の壁電圧とサステインパルスｓｕｓの電圧とが加えられることにより、サステインパルスｓｕｓが供給される度にスキャン電極Ｙとサステイン電極Ｚとの間にサステイン放電が発生する。一番目のサステインパルスｓｕｓは、その後のサステインパルスｓｕｓに比べて幅が長くなり、サステイン放電の安定した開始が可能になる。最後のサステインパルスｓｕｓがサステイン電極Ｚに供給されてサステイン放電が終わった後には、スキャン電極Ｙ及び／またはサステイン電極Ｚに図示しない消去ランプ波形が供給されることができる。この消去ランプ波形は、サステイン放電によって生成された壁電荷を消去させる役目をする。この消去ランプ波形は、スキャン電極Ｙとサステイン電極Ｚのいずれかに供給されることもでき、さらに省略されることもできる。
【００４５】
図６は、本発明の第２実施例に係るＰＤＰの駆動方法を示す。
【００４６】
図６を参照すると、本発明の第２実施例に係るＰＤＰの駆動方法は、１フレーム期間内に配置されたサブフィールドのいずれか少なくとも一つの初期化期間でt３期間とt４期間の初期化を省略する。
【００４７】
ｎ（ただし、ｎは任意の正の整数）番目のサブフィールドＳＦｎは、図４に示したサブフィールドと実質的に同一であるので、これについての詳細な説明を省略する。
【００４８】
ｎ＋１番目のサブフィールドＳＦｎ＋１はリセット期間、アドレス期間及びサステイン期間を含む。ここで、リセット期間は、ｔ１期間およびｔ２期間を含む予備初期化期間と、ｔ５期間及びｔ６期間を含むメイン初期化期間と、を含む。すなわち、ｎ＋１番目のサブフィールドＳＦｎ＋１の初期化期間は、ｎ番目のサブフィールドＳＦｎに比べてメイン初期化期間の中で書き込み放電を起こすｔ３期間と消去放電を起こすｔ４期間とが省略される。
【００４９】
ｎ＋１番目のサブフィールドＳＦｎ＋１の予備初期化期間において、ｔ１期間では、スキャン電極Ｙに電圧がサステイン電圧Ｖｓと設定される予備Ｙ初期化パルスｉｓｑｙが供給され、サステイン電極Ｚとアドレス電極Ｘには基底電圧ＧＮＤや０Ｖが供給される。予備Ｙ初期化パルスｉｓｑｙの電圧は、ＰＤＰのモデルと放電ガス組成などの放電特性を考慮してサステイン電圧Ｖｓよりも高いかもしくは低い可能性もある。この時、スキャン電極Ｙとサステイン電極Ｚとの間に放電が起こる。この放電はｎ番目のサブフィールドＳＦｎの最後のサステイン放電であると同時に、ｎ＋１番目のサブフィールドＳＦｎ＋１の一番目の初期化書き込み放電である。その結果、図５のようにｎ番目のサブフィールドＳＦｎのアドレス放電によって選択されたオンセル（on-cell）内で、スキャン電極Ｙ上には負極性の壁電荷が蓄積される一方、サステイン電極Ｚとアドレス電極Ｘ上には正極性の壁電荷が蓄積される。
【００５０】
ｎ＋１番目のサブフィールドＳＦｎ＋１のｔ２期間では、スキャン電極Ｙにサステイン電圧Ｖｓが一定期間さらに供給された後、サステイン電圧Ｖｓから負極性電圧まで電圧が低くなる予備下降ランプ波形ｉｄｙがスキャン電極Ｙに供給され、サステイン電極Ｚには電圧が略サステイン電圧Ｖｓと設定される第１Ｚ初期化パルスｉｓｑ１が供給される。そして、アドレス電極Ｘには基底電圧ＧＮＤや０Ｖが供給される。予備Ｙ初期化パルスｉｓｑｙと第１Ｚ初期化パルスｉｓｑ１が重畳される期間の間に、スキャン電極Ｙとアドレス電極Ｘとの間に、そしてサステイン電極Ｚとアドレス電極Ｘとの間に放電が起こる。また、予備下降ランプ波形ｉｄｙと第１Ｚ初期化パルスｉｓｑ１が重畳される期間の間に、スキャン電極Ｙとサステイン電極Ｚとの間に、そしてスキャン電極Ｙとアドレス電極Ｘとの間に放電が起こる。その結果、すべてのセル内で、図５のようにサステイン電極Ｚ上には負極性の壁電荷が蓄積され、ｔ１期間に蓄積されたスキャン電極Ｙ上の壁電荷は、サステイン電極Ｚ上で発生した負極性壁電荷が蓄積されるにつれてその極性が負極性に反転する。また、アドレス電極Ｘ上には負極性壁電荷が蓄積されるにつれて正極性壁電荷の一部が消去される。
【００５１】
このような予備初期化期間で発生する放電は、メイン初期化期間の放電がすべてのセルで均一に起こるように、メイン初期化期間に先立って以前のセルの壁電荷分布を均一にする。
【００５２】
ｎ＋１番目のサブフィールドＳＦｎ＋１のメイン初期化期間においては、ｔ３期間とｔ４期間なしにｔ５期間の書き込み放電が実行される。このｔ５期間では、サステイン電圧Ｖｓからセットアップ電圧Ｖｓｅｔｕｐまで上昇する第２Ｙ上昇ランプ波形Ｒｕｙ２及びＺ上昇ランプ波形Ｒｕｚが、スキャン電極Ｙとサステイン電極Ｚに同時に供給される。また、このｔ５期間では、アドレス電極Ｘには基底電圧ＧＮＤや０Ｖが供給される。この時、スキャン電極Ｙとアドレス電極Ｘとの間に放電が起こると同時に、サステイン電極Ｚとアドレス電極Ｘとの間に放電が起こる。その結果、すべてのセルで図５のようにスキャン電極Ｙとサステイン電極Ｚ上には負極性の壁電荷が蓄積され、アドレス電極Ｘ上には正極性の壁電荷が蓄積される。
【００５３】
ｎ＋１番目のサブフィールドＳＦｎ＋１のｔ６期間では、サステイン電圧Ｖｓから負極性電圧まで電圧が低くなる第２Ｙ下降ランプ波形Ｒｄｙ２及びＺ下降ランプ波形Ｒｄｚがスキャン電極Ｙとサステイン電極Ｚに供給される。ここで、スキャン電極Ｙに供給される第２Ｙ下降ランプ波形Ｒｄｙ２の電圧は、サステイン電極Ｚに供給される下降ランプ波形Ｒｄｚの電圧よりもさらに低い電圧まで落ちる。また、ｔ６期間では、アドレス電極Ｘには基底電圧ＧＮＤや０Ｖが供給される。また、このｔ６期間では、スキャン電極Ｙとサステイン電極Ｚとの間に、そしてスキャン電極Ｙとアドレス電極Ｘとの間に放電が起こる。その結果、すべてのセルで図５のようにスキャン電極Ｙ上に蓄積されていた負極性の壁電荷は、正極性の壁電荷が蓄積されるにつれてその一部が消去され、アドレス電極Ｘ上に蓄積されていた正極性の壁電荷は、負極性壁電荷が蓄積されるにつれてその一部が消去される。
【００５４】
ｎ＋１番目のサブフィールドＳＦｎ＋１のリセット期間でｔ３期間の書き込み放電とｔ４期間の消去放電とが省略できる理由は、ｎ＋１番目のサブフィールドＳＦｎ＋１に先立って少なくとも１回のサブフィールドＳＦｎが存在し、その以前のサブフィールドＳＦｎで発生する数回の放電によってセル内の放電特性が比較的安定化され、それぞれ１回の書き込み放電と消去放電だけでもメイン初期化期間の初期化動作が均一に行えるためである。
【００５５】
ｎ＋１番目のサブフィールドＳＦｎ＋１のアドレス期間とサステイン期間は、図４に示したものと実質的に同一であるので、これについての詳細な説明を省略することにする。
【００５６】
ｎ番目のサブフィールドＳＦｎとして、１フレーム期間の初期に配置された一番目のサブフィールド、またはその一番目のサブフィールドを含む複数のサブフィールドを選択することができる。
【００５７】
図６のように１フレーム期間に含まれた一部サブフィールドのリセット期間で１回以上の書き込み放電と１回以上の消去放電とが省略されるので、本発明の第２実施例に係るＰＤＰの駆動方法は、リセット期間の放電時に伴う光の放出を減らすことができ、リセット期間を減らすことができる。
【００５８】
図４及び図６のような駆動波形は、アドレス期間にオンセルを選択する選択的書き込み方式のＰＤＰに適用され得る。また、図４及び図６のような駆動波形は、本願出願人によって既出願された特許出願第１０−２０００−００１２６６９号、特許出願第１０−２０００−００５３２１４号、特許出願第１０−２００１−０００３００３号、特許出願第１０−２００１−０００６４９２号、特許出願第１０−２００２−００８２５１２号、特許出願第１０−２００２−００８２５１３号、特許出願第１０−２００２−００８２５７６号などに提案されたいわゆる「ＳＷＳＥ（Selective Writing and Selective Erasure）方式'で選択的書き込みサブフィールドに適用されることもできる。
【００５９】
図７は、本発明の実施例に係るＰＤＰの駆動装置を示す。
【００６０】
図７を参照すると、本発明の実施例に係るＰＤＰの駆動装置は、ＰＤＰのアドレス電極Ｘ１〜Ｘｍにデータを供給するためのデータ駆動部７２と、スキャン電極Ｙ１〜Ｙｎを駆動するためのスキャン駆動部７３と、共通電極であるサステイン電極Ｚを駆動するためのサステイン駆動部７４と、各駆動部７２、７３、７４を制御するためのタイミングコントローラ７１と、各駆動部７２、７３、７４に必要な駆動電圧を供給するための駆動電圧発生部７５と、を備える。
【００６１】
データ駆動部７２には、図示しない逆ガンマ補正回路、誤差拡散回路などによる逆ガンマ補正及び誤差拡散の後、サブフィールドマッピング回路によって各サブフィールドにマッピングされたデータ（映像データ）が供給される。このデータ駆動部７２は、タイミングコントローラ７１からのタイミング制御信号ＣＴＲＸに対して応答してデータをサンプリングしラッチした後、そのデータをアドレス電極Ｘ１〜Ｘｍに供給する。
【００６２】
スキャン駆動部７３は、タイミングコントローラ７１の制御下にｎ番目のサブフィールドＳＦｎのリセット期間に初期化波形（ｉｓｑｙ、ｉｄｙ、Ｒｕｙ１、Ｒｄｙ１、Ｒｕｙ２、Ｒｄｙ２）をスキャン電極Ｙ１〜Ｙｎに供給する。そして、スキャン駆動部７３は、タイミングコントローラ７１の制御下にｎ＋１番目のサブフィールドＳＦｎ＋１のリセット期間にｔ３及びｔ４期間の初期化波形Ｒｕｙ１、Ｒｄｙ１を除いた初期化波形ｉｓｑｙ、ｉｄｙ、Ｒｕｙ２、Ｒｄｙ２をスキャン電極Ｙ１〜Ｙｎに供給する。また、スキャン駆動部７３は、アドレス期間にスキャンパルスｓｐをスキャン電極Ｙ１〜Ｙｎに順次供給し、サステイン期間にサステインパルスｓｕｓをスキャン電極Ｙ１〜Ｙｎに供給する。
【００６３】
サステイン駆動部７４は、タイミングコントローラ７１の制御下にｎ番目のサブフィールドＳＦｎのリセット期間に初期化波形（ｉｓｑ１、ｉｓｑ２、Ｒｕｚ、Ｒｄｚ）をサステイン電極Ｚに供給する。そして、サステイン駆動部７４は、タイミングコントローラ７１の制御下にｎ＋１番目のサブフィールドＳＦｎ＋１のリセット期間にｔ４期間の初期化波形ｉｓｑ２を除いた初期化波形ｉｓｑ１、Ｒｕｚ、Ｒｄｚをスキャン電極Ｙ１〜Ｙｎに供給する。また、サステイン駆動部７４は、アドレス期間にバイアス電圧Ｖｚ−ｃｏｍをサステイン電極Ｚに供給し、サステイン期間にスキャン駆動部７３と交互に動作してサステインパルスｓｕｓをサステイン電極Ｚに供給する。
【００６４】
タイミングコントローラ７１は、垂直／水平同期信号の入力を受け、各駆動部に必要なタイミング制御信号ＣＴＲＸ、ＣＴＲＹ、ＣＴＲＺを発生し、そのタイミング制御信号ＣＴＲＸ、ＣＴＲＹ、ＣＴＲＺを当該駆動部７２、７３、７４に供給することにより、各駆動部７２、７３、７４を制御する。データ制御信号ＣＴＲＸには、データをサンプリングするためのサンプリングクロック、ラッチ制御信号、エネルギー回収回路および駆動スィッチ素子のオン／オフタイムを制御するためのスィッチ制御信号が含まれる。スキャン制御信号ＣＴＲＹには、スキャン駆動部７３内のエネルギー回収回路と駆動スィッチ素子のオン／オフタイムを制御するためのスィッチ制御信号が含まれる。そして、サステイン制御信号ＣＴＲＺには、サステイン駆動部７４内のエネルギー回収回路と駆動スィッチ素子のオン／オフタイムを制御するためのスィッチ制御信号が含まれる。
【００６５】
駆動電圧発生部７５は、セットアップ電圧Ｖｓｅｔｕｐ、アドレスバイアス電圧（Ｖｓｃａｎ−ｃｏｍ、Ｖｚ−ｃｏｍ）、負極性のスキャン電圧−Ｖｙ、サステイン電圧Ｖｓ、データ電圧Ｖｄなどを発生する。このような駆動電圧は放電ガスの組成や放電セル構造によって変わる。
【図面の簡単な説明】
【００６６】
【図１】従来の３電極交流面放電型プラズマディスプレイパネルの電極配置を概略的に示す平面図である。
【図２】２５６階調を具現するための８ビットデフォルトコードのフレーム構成を示す図である。
【図３】従来のＰＤＰを駆動するための駆動波形を示す波形図である。
【図４】本発明の第１実施例に係るプラズマディスプレイパネルの駆動方法を示す波形図である。
【図５】図４に示したリセット期間でセル内での壁電荷分布の変化を概略的に示す図面である。
【図６】本発明の第２実施例に係るプラズマディスプレイパネルの駆動方法を示す波形図である。
【図７】本発明の実施例に係るプラズマディスプレイパネルの駆動装置を示すブロック図である。
【図１】
2005141215.tif 000003
【図２】
2005141215.tif 000004
【図３】
2005141215.tif 000005
【図４】
2005141215.tif 000006
【図５】
2005141215.tif 000007
【図６】
2005141215.tif 000008
【図７】
2005141215.tif 000009